(57)【要約】【課題】従来の洗面台は、洗面台本体に洗面ボールが固定されているため、スペースを取るだけでなく、洗面ボールがむき出しになっているため、美観を損なうなどの問題がある。本考案は、洗面台の水受け部の手前部分を開閉可能なカバーとすることで、狭いスペースにでも設置でき、美観も向上できる、厚みの薄い洗面台を提供する。【解決手段】洗面台の水受け部の手前部分を開閉可能なカバーとすることで、水受け部を薄くでき、狭いスペースにでも設置できる、厚みの薄い洗面台を提供する。使用時はカバーを開くことで水受け部が広がり、手を洗っても水が飛散することなく使用できる。カバーを閉じると、水受け部や蛇口がカバーで覆われるので、美観も向上する。【選択図】図１
2014079546.tif 000002
【特許請求の範囲】
【請求項１】
開閉可能なカバーを具備した洗面台で、開いたカバーが、水受け部の一部を構成することを特徴とする洗面台。
【請求項２】
開いたカバーの位置を保持する手段を具備した請求項１に記載の洗面台。
【請求項３】
カバーと洗面台とをシート状の部材で結合したことを特徴とする請求項１から請求項２の何れかに記載の洗面台。
【請求項４】
カバーを閉じた状態を保持する手段を具備させたことを特徴とする請求項１から請求項３の何れかに記載の洗面台。
【発明の詳細な説明】
【技術分野】
【０００１】  本考案は、狭いスペースなどの壁面などにも設置できる、洗面台に関する。
【背景技術】
【０００２】  従来、一般家庭などで使用する洗面台は、洗面台本体に洗面ボールが固定されたものである。
【発明の概要】
【発明が解決しようとする課題】
【０００３】  一般家庭などで使用する従来の洗面台は、洗面台本体に洗面ボールが固定されているため、スペースを取るだけでなく、洗面ボールがむき出しになっているため、美観を損なうなどの問題がある。
【課題を解決するための手段】
【０００４】  洗面台の水受け部の手前部分を開閉可能なカバーとすることで、狭いスペースにでも設置できる、厚みの薄い洗面台を提供する。
【発明の効果】
【０００５】  洗面台の水受け部の手前部分を開閉可能なカバーとすることで、狭いスペースにでも設置できる、厚みの薄い洗面台を提供する。使用時はカバーを開くことで水受け部が広がり、手を洗っても水が飛散することなく使用できる。カバーを閉じると、水受け部や蛇口がカバーで覆われるので、外観も向上する。
【図面の簡単な説明】
【０００６】
【図１】開閉可能なカバーを有する洗面台でカバーが開いた状態を示す外観図
【図２】開閉可能なカバーを有する洗面台でカバーが閉じた状態を示す外観図
【図３】開閉可能なカバーを有する本提案の具体的な実施例を示す外観図
【図４】開閉可能なカバーの具体例１を示す外観図
【図５】開閉可能なカバーの具体例２を示す外観図
【図６】開閉可能なカバーの具体例３を示す断面図
【図７】開閉可能なカバーの具体例４を示す外観図
【図８】開閉可能なカバーの具体例２の取り付け状態を示す断面図
【図９】導水用の弾性シートをカバーに取り付けた例を示す断面図
【図１０】水受け部底面をカバーの取り付け部とした場合を示す断面図
【図１１】水受け部、カバー、側面シートを一体構造とした例を示す外観図
【発明を実施するための形態】
【０００７】  図１は本提案の、手前に開閉可能なカバーを有する洗面台でカバーが開いた状態の外観図である。１は洗面台本体、２は蛇口、３は水受け部、４は排水口、５はカバー、６は水飛散防止用の側面シートである。図２はカバーを閉じた状態の外観図であり、７はカバーを開閉するための取っ手である。カバーを閉めることで水受け部や蛇口がカバーに覆われ、すっきりと収納でき、外観も向上する。
【実施例】
【０００８】  図３は本提案の具体的な実施例である。１は洗面台本体、２は蛇口、３は水受け部、４は排水口、５はカバー、６は水飛散防止用の側面シート、８はカバーを開いた状態で保持する部材である。側面シート６は、カバー５を閉じた状態では水受け部３の内部に収納され、開いた状態では水の側面への飛散防止用のシートとして機能するよう、薄いシートや蛇腹形状をしたシートなどを水受け部３とカバー５に固定してある。シートの素材はビニールなどの樹脂や防水加工を施した布紙など、防水性があり開閉時邪魔にならない柔軟性を持つ部材であれば使用可能である。【０００９】  開閉可能なカバーの構造例を図４から図７に示す。図４から図７では、カバーの開閉位置をＡＡ部、またはＡ部として表している。【００１０】  図４は樹脂製の筆箱などのように、ＡＡ部で折り曲げることがでる樹脂等で作られたカバーの例である。ＡＡ部にくびれがない１枚板であっても、ばね材や樹脂材など柔軟で適度な硬さを持つ材料であれば開閉可能なカバーを構成することも可能である。【００１１】  図５は、カバー５に接続部材９を溶接やねじ止め、接着などの手段により固定した例であり、図８に示すように、Ａ部より下の部分９ａを洗面台本体１へ固定することでＡ部で開閉可能としている。接続部材９は柔軟なシート状の部材であれば、ビニールなどの樹脂部材でも金属製のバネ材でも使用可能である。【００１２】  図６はカバー５を蝶番１０等で洗面台本体１に開閉可能に固定した例である。【００１３】  図７ではカバー５の下部を軸１１が固定された円柱部５ａとし、洗面台本体１の側面穴１２に軸１１が勘合することで、カバー５を洗面台本体１に回転可能に取付けている。あるいは、円柱部５ａを軸１１が勘合する中空円筒とし、洗面台本体１の側面穴１２に固定された軸１１と勘合するように構成してもよい。【００１４】  図６、図７で示すカバー５を洗面台本体１へ取り付ける場合、カバーの開閉部から水が漏れ出ないように、たとえば図６に示す水漏れ防止用の底面シート１３を貼り付ける。なお、図４、図５に示すカバー５は図８に示すゴム材などからなるシール部材１４を介して洗面台本体１へ取り付けることで底面シート１３を不要とできるが、水漏れ防止性能を高めるために底面シート１３を付加してもよい。底面シート１３は側面シート６と一体で構成することも可能である。【００１５】  図４から図７に示すカバーでは底面シート１３の代わりに、図９に示す導水用の弾性シート１５をカバー５に取り付け、水受け部底面３ａに摺動させることにより、水漏れ防止機能をもたせることもできる。この場合、図９に示すように、水受け部底面３ａは３ｂのような形状にすることで水漏れ防止機能を高めることも可能である。【００１６】  ここで示した全ての例では、たとえば図３に示すようにカバー５の開閉位置Ａ部と水受け部３の底面３ａを、ほぼ同じ高さで構成しているが、水漏れ防止性能を高めるために、図８の３ｂに示すように水受け部底面３ａをＡ部より低く構成することも、ここで説明したすべての例について可能である。【００１７】  図４、図５、図６で示すカバー５の化粧台本体１への取り付けは、カバー５の取り付け面を化粧台本体の前面部として説明して���るが、図１０に示すように、水受け面底面３ａを取り付け面として構成することも可能である。【００１８】  カバー５の開き角度は、図３に示すチェーンやワイヤなどの線状部材、あるいは薄い板状のカバー保持部材８により決定される。カバー保持部材８でカバーを開いた状態に保持することで、ある程度の力がカバーを開く方向に加わっても大丈夫である。なお、カバー保持部材８はカバー５を閉じた状態では、側面シート６とともに水受け部３におさまり、外観は図２に示すように蛇口２や水受け部３がカバー５で覆われる、あるいは少なくとも水受け部３がカバー５で覆われるので、デザイン性も向上する。【００１９】  カバー保持部材８は側面シート６に接着あるいはモールドなどにより一体に作ることも可能である。この場合、図１１に示すように、水受け部３、及びカバー５も含めて一体で作成することも可能である。【００２０】  ここで示した全ての例では、例えば図１に示すように水受け部３の底面３ａは平坦で記載してあるが、排水口４へスムーズに水が流れるように水受け部底面３ａには排水口４へ向う傾斜がついていてもかまわない。【００２１】  カバー５を閉じた状態で保持する機構は、磁石やばね部材、つまみなどを用いたロック機構や、カバー保持部材８に二安定ばねのような復元力を持たせた保持機構などが使用できる。また取っ手７はでっぱり形状でも、へこみ形状でも可能である。
【符号の説明】
【００２２】  １  洗面台本体
２  蛇口
３  水受け部
４  排水口
５  カバー
６  水飛散防止用の側面シート
７  取っ手
８  カバー保持部材
９  接続部材
１０  ちょうつがい
１１  軸
１２  軸１１が勘合する穴
１３  水もれ防止用の底面シート
１４  シール部材
１５  導水用の弾性シート
【図１】
2014079546.tif 000003
【図２】
2014079546.tif 000004
【図３】
2014079546.tif 000005
【図４】
2014079546.tif 000006
【図５】
2014079546.tif 000007
【図６】
2014079546.tif 000008
【図７】
2014079546.tif 000009
【図８】
2014079546.tif 000010
【図９】
2014079546.tif 000011
【図１０】
2014079546.tif 000012
【図１１】
2014079546.tif 000013